【手続補正書】
【提出日】平成20年4月25日(2008.4.25)
【手続補正１】
【補正対象書類名】明細書
【補正対象項目名】特許請求の範囲
【補正方法】変更
【補正の内容】
【特許請求の範囲】
【請求項１】  医療用装置であって、
前記医療用装置は、導電性編組部材を先端に備えたカテーテルと、
前記導電性編組部材を未展開位置から展開位置まで拡張するための手段と、
前記導電性編組部材を介して血管にエネルギを加えるための手段と、
前記導電性編組部材を介して血管に加えられた前記エネルギを制御するための手段とを備え、
前記導電性編組部材は複数のフィラメントを含み、前記複数のフィラメントのうちの選択されたフィラメントからなる群が連結して、独立したセクタを形成することを特徴とする医療用装置。
【請求項２】  医療用装置であって、
前記医療用装置は、導電性編組部材が先端に連結されたカテーテルを備え、前記導電性編製は複数のフィラメントを含んでおり、
前記医療用装置は、また、前記複数のフィラメントを複数の独立したセクタにグループ分けするための手段を備えることを特徴とする医療用装置。
【請求項３】  請求項１又は２に記載の医療用装置において、
前記医療用装置は、さらに、前記独立したセクタ毎に少なくとも一つの温度センサを含み、前記少なくとも一つの温度センサは、前記独立したセクタの対応する少なくとも一つのフィラメントに配置されていることを特徴とする医療用装置。
【請求項４】  請求項３に記載の医療用装置において、
前記少なくとも一つの温度センサは熱電対からなることを特徴とする医療用装置。
【請求項５】  請求項３に記載の医療用装置において、
前記少なくとも一つの温度センサは前記導電性編組部材から電気的に絶縁されていることを特徴とする医療用装置。
【請求項６】  請求項３に記載の医療用装置において、
前記少なくとも一つの温度センサは前記導電性編組部材の外側縁部に結合されていることを特徴とする医療用装置。
【請求項７】  請求項１又は２に記載の医療用装置において、
前記医療用装置は、さらに、前記導電性編組部材を未展開位置から展開位置まで拡張する機構を備えることを特徴とする医療用装置。
【請求項８】  請求項７に記載の医療用装置において、
前記展開位置では、前記導電性編組部材の前記複数のフィラメントのうちの少なくとも一つが血管壁と接触していることを特徴とする医療用装置。
【請求項９】  請求項７に記載の医療用装置において、
前記医療用装置は、さらに、前記導電性編組部材が前記展開位置にあるとき、前記導電性編組部材の少なくとも一部をカバーするシュラウドを備えることを特徴とする医療用装置。
【請求項１０】  請求項９に記載の医療用装置において、
前記シュラウドはラテックス材料であることを特徴とする医療用装置。
【請求項１１】  請求項９に記載の医療用装置において、
前記シュラウドは高周波透過性材料でできていることを特徴とする医療用装置。
【請求項１２】  請求項９に記載の医療用装置において、
前記シュラウドは、潅注流体をターゲット領域に差し向けることを特徴とする医療用装置。
【請求項１３】  請求項１２に記載の医療用装置において、
前記ターゲット領域は、前記導電性編組部材の周縁部であることを特徴とする医療用装置。
【請求項１４】  請求項１３に記載の医療用装置において、
前記導電性編組部材が展開位置にあるとき、前記導電性編組部材の前記周縁部が血管と接触することを特徴とする医療用装置。
【請求項１５】  請求項１又は２に記載の医療用装置において、
前記導電性編組部材の前記複数のフィラメントのうちの少なくとも一つをマッピングに使用することを特徴とする医療用装置。
【請求項１６】  請求項１又は２に記載の医療用装置において、
前記導電性編組部材の前記複数のフィラメントのうちの少なくとも一つを焼灼に使用することを特徴とする医療用装置。
【請求項１７】  請求項１又は２に記載の医療用装置において、
前記導電性編組部材はワイヤメッシュであることを特徴とする医療用装置。
【請求項１８】  請求項１又は２に記載の医療用装置において、
前記医療用装置は、さらに、前記カテーテルの前記先端を操向する機構を備えることを特徴とする医療用装置。
【請求項１９】  請求項１８に記載の医療用装置において、
前記カテーテルの前記先端を操向する前記機構は、前記導電性編組部材の基端側の枢動点を含むことを特徴とする医療用装置。
【請求項２０】  請求項１又は２に記載の医療用装置において、
前記医療用装置は、さらに、潅注流体を送出する潅注システムを前記導電性編組部材の基端側に含むことを特徴とする医療用装置。
【請求項２１】  請求項２０に記載の医療用装置において、
前記潅注システムは前記導電性編組部材に織り込んだ少なくとも一つのチューブを含むことを特徴とする医療用装置。
【請求項２２】  請求項２１に記載の医療用装置において、
前記少なくとも一つのチューブは前記潅注流体を送出するための少なくとも一つの開口部を含むことを特徴とする医療用装置。
【請求項２３】  請求項１又は２に記載の医療用装置において、
前記複数のフィラメントは、絶縁コーティングによって互いから絶縁されていることを特徴とする医療用装置。
【請求項２４】  請求項２３に記載の医療用装置において、
前記絶縁コーティングはポリイミド型材料であることを特徴とする医療用装置。
【請求項２５】  請求項２３に記載の医療用装置において、
前記絶縁コーティングの一部が前記複数のフィラメントのうちの少なくとも一つのフィラメントから除去してあることを特徴とする医療用装置。
【請求項２６】  請求項１又は２に記載の医療用装置において、
前記医療用装置は、さらに、前記導電性編組部材の少なくとも一部に配置されたコーティング材料を備えることを特徴とする医療用装置。
【請求項２７】  請求項１又は２に記載の医療用装置において、
前記複数のフィラメントは金属エレメント及び非金属エレメントを含むことを特徴とする医療用装置。
【請求項２８】  請求項２に記載の医療用装置において、
前記グループ分けするための手段は、前記カテーテルに連結された制御装置を含むことを特徴とする医療用装置。
【請求項２９】  請求項２８に記載の医療用装置において、
前記制御装置はマルチプレクサーを含み、前記複数のフィラメントの各々は、各フィラメントを個々に制御できるように前記マルチプレクサーに導電的に連結されていることを特徴とする医療用装置。
【請求項３０】  請求項２９に記載の医療用装置において、
前記複数のフィラメントの少なくとも幾つかが焼灼処置に使用され、前記制御装置は、更に、前記導電性編組部材に供給された焼灼エネルギを制御するようになっていることを特徴とする医療用装置。
【請求項３１】  請求項２に記載の医療用装置において、
前記グループ分けするための手段は、前記複数のフィラメントの少なくとも幾つかを少なくとも部分的にカバーして前記独立したセクタを形成する絶縁コーティングを含むことを特徴とする医療用装置。
【請求項３２】  請求項２に記載の医療用装置において、
前記医療装置は、さらに、前記複数の独立したセクタの各々へのエネルギを独立して制御するため、前記独立したセクタの各々に連結された少なくとも一つの温度センサを備えることを特徴とする医療用装置。
【請求項３３】  請求項１に記載の医療用装置において、
前記複数のフィラメントの各々は絶縁されており、前記複数のフィラメントのうちの予め選択されたフィラメントから所定量の絶縁体を除去し、前記導電性編組部材と接触した組織に送出される焼灼エネルギの制御可能な分布を提供することを特徴とする医療用装置。
【請求項３４】  請求項１に記載の医療用装置において、
前記複数のフィラメントの各々は絶縁層を含み、電気的に独立したセクタへの前記フィラメントのグループ分けは、前記複数のフィラメントのうちの選択されたフィラメントの絶縁層の部分を選択的に除去することによって行われることを特徴とする医療用装置。
【請求項３５】  請求項１に記載の医療用装置において、
前記複数のフィラメントのうちの少なくとも幾つかを少なくとも部分的にカバーする絶縁コーティングを更に含み、これによって前記独立したセクタを形成することを特徴とする医療用装置。
【請求項３６】  複数のフィラメントを含むカテーテルの導電性編組部材に供給されたエネルギを制御するための方法であって、
前記複数のフィラメントのうちの選択されたフィラメントを互いに纏め、複数の独立したセクタを前記導電性編組部材内に形成する工程と、
前記複数の独立したセクタのうちの少なくとも一つにエネルギを選択的に加え、所望の焼灼分布を得る工程とを備えることを特徴とする方法。
【請求項３７】  電気生理学的カテーテルで使用するためのガイド機構であって、
患者への導入中に前記電気生理学的カテーテルを通すことができる所定の湾曲を有するシースと
前記シースの長さ方向長さに沿って配置された継ぎ目とを備えることを特徴とするガイド機構。
【請求項３８】  請求項３７に記載のガイド機構において、
前記ガイドシースは、前記シースの内部と連通した内腔を持つ皮下注射針を更に含むことを特徴とするガイド機構。
【請求項３９】  請求項３８に記載のガイド機構において、
前記内腔により潅注流体を導入できることを特徴とするガイド機構。
【請求項４０】  請求項３８に記載のガイド機構において、
前記内腔により対照流体を導入できることを特徴とするガイド機構。
【請求項４１】  請求項３８に記載のガイド機構において、
前記内腔により抗凝塊形成性流体を導入できることを特徴とするガイド機構。
【請求項４２】  電気生理学的処置を行うための医療用装置であって、
前記医療装置は、導電性編組部材が先端に設けられたカテーテルと、
前記導電性編組部材を未展開位置から展開位置まで拡張する機構とを備え、
前記導電性編組部材は熱電対で形成されていることを特徴とする医療用装置。
【請求項４３】  電気生理学的処置を行うための医療用装置であって、
前記医療装置は、第１端及び第２端を持つ導電性編組部材と、
導電性編組部材最先端を有する第１カテーテルシャフトとを備え、前記導電性編組部材の第１端は前記カテーテルシャフトの最先端に取り付けられており、
前記医療装置は、また、最先端を有する導電性編組部材第２カテーテルシャフトを備え、前記導電性編組部材の第２端は前記第２カテーテルシャフトの最先端に取り付けられており、前記第２カテーテルシャフトは前記第１カテーテルシャフトに取り付けられており、
前記導電性編組部材は、未展開位置では、前記第１カテーテルシャフト内に実質的に収容されており、前記第１カテーテルシャフトの前記最先端が前記第２カテーテルシャフトの前記最先端と実質的に整合しているとき、前記導電性編組部材は展開位置にあることを特徴とする医療用装置。
【請求項４４】  請求項４３に記載の医療用装置において、
前記導電性編組部材はワイヤメッシュであることを特徴とする医療用装置。
【請求項４５】  請求項４４に記載の医療用装置において、
前記ワイヤメッシュは多数のフィラメントを含むことを特徴とする医療用装置。
【請求項４６】  請求項４５に記載の医療用装置において、
前記医療装置は、さらに、前記ワイヤメッシュの少なくとも一部に配置されたコーティング材料を備えることを特徴とする医療用装置。
【請求項４７】  請求項４５に記載の医療用装置において、
前記医療装置は、さらに、潅注流体を前記導電性編組部材の近くに送出する潅注システムを備えることを特徴とする医療用装置。
【請求項４８】  請求項４５に記載の医療用装置において、
前記医療装置は、さらに、前記導電性編組部材に取り付けられた温度検出装置を備えることを特徴とする医療用装置。
【請求項４９】  請求項４５に記載の医療用装置において、
前記医療装置は、さらに、前記導電性編組部材が前記展開位置にあるとき、前記導電性編組部材の少なくとも一部をカバーするシュラウドを備えることを特徴とする医療用装置。
【請求項５０】  請求項４３に記載の医療用装置において、
前記導電性編組部材は、前記導電性編組部材が前記展開位置にあるとき、同心の定位領域を更に含むことを特徴とする医療用装置。
【請求項５１】  請求項４３に記載の医療用装置において、
前記医療用装置は、さらに、前記カテーテル内にチューブ状中空内腔を備えることを特徴とする医療用装置。